(57)【要約】【課題】ペット用両面シートにおいて、同じ面積で従来のペット用シートの約二倍使用することができるとともに、裏面に回り込んだ尿をも吸収することができること。【解決手段】ペット用両面シート１は、透液性シートとしてのＰＰ繊維からなる不織布２、吸収層３、不透液性シート４、吸収層３、透液性シート２を積層してなり、ペットが排尿すると尿は上側の吸収層３で吸収され、吸収層３の下には不透液性シート４が配置されているため、尿が下側の吸収層３まで透過することはない。また、尿が裏面へ回り込んだ場合には、下側の不織布２を透過して下側の吸収層３に吸収される。ペットの尿が上側の吸収層３に溜まって、これ以上吸収が困難な状態になったら、ペット用両面シート１を裏返して専用トレイ等にセットし直す。これによって、未使用状態の下側の吸収層３が上側になるため、ペット用両面シート１を新品同様の状態で使用することができる。【選択図】図１
2010193724.tif 000002
【特許請求の範囲】
【請求項１】
尿を含む水分を透過させない不透液性シートと、
前記不透液性シートの両面に設けられた吸収層と、
前記一対の吸収層のそれぞれ前記不透液性シートと反対側の面に設けられた透液性シートと
を具備することを特徴とするペット用両面シート。
【発明の詳細な説明】
【技術分野】
【０００１】
本発明は、主に室内で飼育される犬・猫等のペットの排泄物（尿）を吸収処理するために、床面に直接設置して、または専用のトレイ等にセットして使用されるペット用シートに関するものである。
【背景技術】
【０００２】
このようなペット用シートとしては、例えば、特許文献１に開示された特許発明に係るペットシートがある。このペットシートは、透液性の表面シートと、不透液性の裏面シートと、これらの表面シートと裏面シートとの間に介在する吸収体とを有する積層体により形成された矩形形状のものであり、床や専用のトレイの上に敷かれて使用される。
【０００３】
この特許文献１に係るペットシートにおいては、表面シートとして紙シートや不織布等が用いられ、吸収体としてはパルプに高吸収性ポリマーが含まれたもの等が使用され、ペットの排泄した尿は、表面シートを透過して吸収体に吸収されて、高吸収性ポリマーの機能によって保持され、更に裏面シートとして有機合成樹脂フィルム等が使用されて、尿が床や専用のトレイまで透過しないように構成されている。
【先行技術文献】
【特許文献】
【０００４】
【特許文献１】特許第３７９７９８１号公報
【発明の概要】
【発明が解決しようとする課題】
【０００５】
しかしながら、上記特許文献１に記載のペットシートを始めとして、従来のペット用シートは、片面しか尿を吸収することができず、一回か二回使用したら廃棄しなければならないため、経済性に劣るという問題点があった。また、ペットがペット用シートの縁で排尿して尿がペット用シートの裏面に回り込んだ場合には、裏面シートが不透液性であるため、尿を吸収することができないという問題点があった。
【０００６】
そこで、本発明は、かかる課題を解決すべくなされたものであって、同じ面積で従来のペット用シートの約二倍使用することができるとともに、裏面に回り込んだ尿をも吸収することができるペット用両面シートを提供することを目的とするものである。
【課題を解決するための手段】
【０００７】
請求項１の発明に係るペット用両面シートは、尿及び水分を透過させない不透液性シートと、前記不透液性シートの両面に設けられた吸収層と、前記一対の吸収層のそれぞれ前記不透液性シートと反対側の面に設けられた透液性シートとを具備するものである。
ここで、上記吸収層は、尿を含む水分を透過させない不透液性シートの両面に設けられる尿を含む水分を吸収する層である。
また、上記透液性シートは、前記一対の吸収層のそれぞれ前記不透液性シートと反対側の面に設けられ、前記不透液性シートの両面に設けられた吸収層を両側の面で挟むものである。
【０００８】
本発明に係るペット用両面シートは、請求項１に係る発明において、前記一対の吸収層に、尿を含む水分を吸収することによって変色する変色剤を含有させたものとして構成することもできる。ここで、「変色剤」としては、尿を含む水分を吸収することによって変色するものであれば用いることができ、水分と反応して変色する薬品でも良く、尿中のアンモニア等の成分と反応して変色する薬品でも良い。
【０００９】
本発明に係るペット用両面シートは、前記不透液シートを不透明としたものとして構成することもできる。ここで、不透液シートは、白色でも、黒色でも、他の色でも良いが、尿を含む水分の色や変色剤の変化したときの色とは異なる色であることが好ましい。
【発明の効果】
【００１０】
請求項１の発明に係るペット用両面シートは、尿を含む水分を透過させない不透液性シートを間に挟んで、両面に吸収層を有するため、片面を使い終わった後に裏返して反対側の面を使用することができ、非常に経済的である。また、ペットの排泄した尿が裏面に回り込んだ場合でも、裏面も透液性シートに覆われた吸収層を有するため、速やかに吸収されて床面や専用のトレイの上に残ることがない。
【００１１】
このようにして、同じ面積で従来のペット用シートの約二倍使用することができるとともに、裏面に回り込んだ尿を含む水分をも吸収することができるペット用両面シートとなる。
【００１２】
本発明の他の構成に係るペット用両面シートは、吸収層が尿を含む水分を吸収することによって変色する変色剤を含有していることから、請求項１に係る発明の効果に加えて、尿の色が薄い場合でも、尿が吸収された部分と未だ吸収されていない未使用の部分とを的確に判別することができ、ペット用両面シートを裏返すタイミングを的確に判断することができる。また、一度使用した面を誤って再度使用するという事態も確実に回避される。
【００１３】
本発明の他の構成に係るペット用両面シートは、不透液シートが不透明であることから、請求項１に係る発明の効果に加えて、ペット用両面シートの各層が薄く密着している場合でも、裏面側に吸収された尿を含む水分の色や変色剤の色が不透液シートを透過して表面から見えることで、表面側に尿を含む水分が吸収されていると錯誤する事態を確実に防止することができる。
【図面の簡単な説明】
【００１４】
【図１】図１（ａ）は本発明の実施例１に係るペット用両面シートの積層構造を示す斜視図、（ｂ）は全体構造を示す斜視図、（ｃ）は（ｂ）のＡ−Ａ断面図である。
【図２】図２（ａ）は本発明の実施例２に係るペット用両面シートの積層構造を示す斜視図、（ｂ）は全体構造を示す斜視図、（ｃ）は（ｂ）のＢ−Ｂ断面図である。
【図３】図３（ａ）は本発明の実施例２に係るペット用両面シートの一部が変色した状態を示す斜視図、（ｂ）は更に他の部分が変色した状態を示す斜視図、（ｃ）は（ｂ）のペット用両面シートを裏返した状態を示す斜視図である。
【発明を実施するための形態】
【００１５】
本発明に係るペット用両面シートを具体的に製造するに当っては、不透液性シートと、それを挟む一対の吸収層と、更にそれらを挟む一対の透液性シートとを積層する必要があるが、これらの各層を積層する方法については、特に限定されるものではない。例えば、従来のペット用シートを製造する装置を用いて製造した従来の（吸収層が片面のみの）ペット用シートに、もう一方の吸収層と透液性シートとを貼り合わせる方法によることもでき、これらの各層を一度に積層する装置を用いることもできる。
【００１６】
不透液性シートを構成する素材としては、例えば、有機合成樹脂フィルム、有機合成樹脂シートを用いることができ、具体的には、ポリエチレン（ＰＥ）フィルム、ポリプロピレン（ＰＰ）フィルム、不飽和ポリエステルフィルム、ポリエチレンテレフタレート（ＰＥＴ）フィルム等を用いることができる。また、これらの有機合成樹脂フィルム・シートに限られるものではなく、撥水処理を施した不織布、撥水処理を施した紙、等を用いても良い。
【００１７】
吸収層を構成する素材としては、尿を含む水分を吸収できる（吸水性の）素材であれば特に限定されるものではなく、例えば、吸水紙、粉砕パルプ、吸水性ポリマーを紙や不織布に挟み込んだもの、吸水性ポリマーと粉砕パルプを混合してシート状に成形したもの、等を用いることができる。吸水性ポリマーとしては、具体的には、ビニルエステルとエチレン系不飽和カルボン酸またはその誘導体との共重合体、でんぷんとアクリル酸の共重合体、ビニルアルコールとアクリル酸の共重合体、ポリアクリロニトリルの部分加水分解物、ポリエチレングリコール架橋物、等を用いることができる。
【００１８】
透液性シートを構成する素材としては、例えば、合成繊維または天然繊維からなる織布や不織布、開孔高分子化合物製フィルム、メッシュシート、等を用いることができ、より具体的には、例えば、ポリプロピレン（ＰＰ）繊維からなる不織布、ポリエチレンテレフタレート（ＰＥＴ）繊維からなる不織布、等を用いることができる。
【００１９】
本発明に係るペット用両面シートに用いられる変色剤としては、具体的には、例えば、水分によって色が変化する塩化コバルト（II）（ＣｏＣｌ2 ）を用いることができるが、これに限られるものではなく、尿を含む水分を吸収することによって変色するものであれば用いることができ、水分と反応して変色する薬品だけでなく、尿中のアンモニア等の成分と反応して変色する薬品、例えば、ヨウ化水銀水溶液と、ヨウ化カリウム水溶液の混合物等からなるアンモニア試薬を用いることもできる。
【実施例】
【００２０】
以下、本発明の具体的な実施例について、図面を参照しつつ説明する。なお、各実施例において、同一の記号及び同一の符号は同一または相当する機能部分を意味し、実施例相互の同一の記号及び同一の符号は、それら実施例に共通する機能部分であるから、ここでは重複する詳細な説明を省略する。
【００２１】
実施例１
まず、本発明の実施例１に係るペット用両面シートについて、図１を参照して説明する。図１（ａ）は本発明の実施例１に係るペット用両面シートの積層構造を示す斜視図、（ｂ）は全体構造を示す斜視図、（ｃ）は（ｂ）のＡ−Ａ断面図である。
【００２２】
図１（ａ）に示されるように、本実施例１に係るペット用両面シート１は、透液性シートとしてのＰＰ繊維からなる不織布２、吸収層としての吸水性ポリマーと粉砕パルプを混合して成形したシート３、不透液性シートとしての白色ＰＥフィルム４、吸収層３、透液性シート２を、この順番に積層してなる積層体である。吸水性ポリマーとしては、三洋化成工業（株）製の商品名「サンフレッシュＧＴ−１」を使用した。
【００２３】
積層の方法としては、これらを一度に積層することができる製造機械を用いて、ホットメルト法によって行った。これによって、図１（ｂ）に示されるように、長手方向に長く裁断された、透液性シートとしてのＰＰ繊維からなる不織布２によって両端が包まれた、矩形形状のペット用両面シート１となる。なお、不織布２の短手方向も長くすることによって、ペット用両面シート１の四方が不織布２によって包まれるようにしても良い。
【００２４】
このような構造を有するペット用両面シート１の使用方法としては、まずいずれかの面を上にして専用トレイ等にセットし、室内で飼われている犬・猫等のペットがペット用両面シート１の上で排尿すると、尿は上側の不織布２を透過して上側の吸収層３において吸収される。この際、図１（ｃ）に示されるように、上側の吸収層３の下には不透液性シートとしての白色ＰＥフィルム４が配置されているため、尿が下側の吸収層３まで透過することはない。
【００２５】
また、ペットがペット用両面シート１の縁で排尿して、尿が裏面へ回り込んだ場合には、下側の不織布２を透過して下側の吸収層３に吸収される。したがって、尿がペット用両面シート１の裏面へ回り込んだ場合でも、速やかに吸収され、専用トレイ等の上に残ることはない。
【００２６】
ペットの尿が上側の吸収層３に溜まって、これ以上吸収が困難な状態になったら、ペット用両面シート１を裏返して専用トレイ等にセットし直す。これによって、未使用状態の下側の吸収層３が上側になるため、ペット用両面シート１を新品同様の状態で使用することができる。新たに上側にした吸収層３も吸収された尿で一杯になったら、ペット用両面シート１を取り外して、新品と交換すれば良い。
【００２７】
このようにして、本実施例１に係るペット用両面シート１は、同じ面積で従来のペット用シートの約二倍使用することができるとともに、裏面に回り込んだ尿をも吸収することができる。
【００２８】
実施例２
次に、本発明の実施例２に係るペット用両面シートについて、図２及び図３を参照して説明する。図２（ａ）は本発明の実施例２に係るペット用両面シートの積層構造を示す斜視図、（ｂ）は全体構造を示す斜視図、（ｃ）は（ｂ）のＢ−Ｂ断面図である。図３（ａ）は本発明の実施例２に係るペット用両面シートの一部が変色した状態を示す斜視図、（ｂ）は更に他の部分が変色した状態を示す斜視図、（ｃ）は（ｂ）のペット用両面シートを裏返した状態を示す斜視図である。
【００２９】
図２（ａ）に示されるように、本実施例２に係るペット用両面シート６の構造は、基本的には、上記実施例１に係るペット用両面シート１と同様である。異なるのは、一対の吸収層７が変色剤８を全面に亘って含有している点である。ここで、変色剤８としては、乾燥時には青色であり、湿度が高くなると赤色に変化する塩化コバルト（II）（ＣｏＣｌ2 ）の粉末を使用した。その他の点においては、製造方法も含めて、図２（ｂ），（ｃ）に示されるように、上記実施例１に係るペット用両面シート１と同様である。
【００３０】
このような構造を有する実施例２に係るペット用両面シート６の使用方法としては、まずいずれかの面を上にして専用トレイ等にセットし、室内で飼われている犬・猫等のペットがペット用両面シート６の上で排尿すると、尿は上側の不織布２を透過して上側の吸収層７において吸収される。この際、図３（ａ）に示されるように、上側の吸収層７に含有されている変色剤８が、尿を吸収した部分１０のみにおいて赤色に変化する。
【００３１】
ここで、図２（ｃ）に示されるように、上側の吸収層７の下には不透液性シートとしての白色ＰＥフィルム４が配置されているため、尿が下側の吸収層７まで透過することはない。したがって、下側の吸収層７に含有されている変色剤８は青色のままである。また、ペットがペット用両面シート６の縁で排尿して、尿が裏面へ回り込んだ場合には、下側の吸収層７に吸収される。したがって、尿がペット用両面シート６の裏面へ回り込んだ場合でも、速やかに吸収され、専用トレイ等の上に残ることはない。
【００３２】
そして、図３（ｂ）に示されるように、ペットの尿が上側の吸収層７に溜まって、これ以上吸収が困難な状態になったら、ペット用両面シート６を裏返して専用トレイ等にセットし直す。これによって、未使用状態の下側の吸収層７が上側になるため、ペット用両面シート６を新品同様の状態で使用することができる。ここで、不透液性シートとしての白色ＰＥフィルム４は不透明であるため、図３（ｃ）に示されるように、裏面になった変色部分１０は表から完全に透けて見えることはなく、未使用の吸収層７を使用済みと勘違いする恐れはない。
【００３３】
このようにして、本実施例２に係るペット用両面シート６は、同じ面積で従来のペット用シートの約二倍使用することができるとともに、裏面に回り込んだ尿をも吸収することができる。更に、吸収層７が尿を吸収することによって変色する変色剤８を含有していることから、尿の色が薄い場合でも、尿が吸収された部分１０と未使用の部分とを的確に判別することができ、ペット用両面シート６を裏返すタイミングを的確に判断することができる。また、一度使用した面を誤って再度使用するという事態も確実に回避される。
【００３４】
本発明を実施するに際しては、ペット用両面シートのその他の部分の構成、成分、形状、数量、材質、大きさ、製造方法等についても、上記各実施例に限定されるものではない。なお、本発明の実施の形態で挙げている数値は、その全てが臨界値を示すものではなく、ある数値は実施に好適な好適値を示すものであるから、上記数値を若干変更してもその実施を否定するものではない。
上記実施の形態では、ペットの尿について説明したが、ペットが水を飲み、その水が口の周りの毛に付着して汚す場合についても同様である。即ち、ここでは、尿を含む水分についての対策が可能となる。
【符号の説明】
【００３５】
１,６  ペット用両面シート
２  透液性シート
３,７  吸収層
４  不透液性シート
８  変色剤
【図１】
2010193724.tif 000003
【図２】
2010193724.tif 000004
【図３】
2010193724.tif 000005